(57)【要約】【課題】ＡＶアンプにおいて、ユーザの聴取位置が特定の（理想的な）聴取位置からずれた場合でも、ユーザがスピーカから自然な再生音を聴けるようにする。【解決手段】オペレータが、複数種類のスピーカのうちの１つの種類のスピーカに対応したナンバーを入力すると（Ｓ１でＹＥＳ）、ＡＶアンプは、上記スピーカから音声を周波数スイープさせながら出力し（Ｓ２）、入力ナンバーに対応するスピーカの各周波数帯毎の補正値の組を算出する（Ｓ２乃至Ｓ６）。そして、全て種類のスピーカについて、上記の処理を繰り返すことにより、入力ナンバーと、入力ナンバーに対応するスピーカの各周波数帯毎の補正値の組とを格納した補正テーブルを得る。このテーブルを有することにより、いずれの種類のスピーカが接続された場合でも、スピーカの前方、かつ近傍の位置における、スピーカからの出力音声の各周波数帯毎のレベルを、フラットに補正することができる。【選択図】図２
2012090164.tif 000002
【特許請求の範囲】
【請求項１】
入力される音声信号の各周波数帯毎の補正値の組を格納した補正テーブルを記憶する補正テーブル記憶手段と、
前記補正テーブルに格納された各周波数帯毎の補正値の組に基づいて、入力された音声信号のレベルを補正する音声信号補正手段と、
前記音声信号補正手段によりレベル補正された音声信号を増幅する音声信号増幅手段とを備え、
ユーザの好みに応じて複数種類のスピーカと接続することが可能で、これらのスピーカのうち実際に接続されているスピーカに、前記音声信号増幅手段により増幅された音声信号を出力するＡＶ（Audio Visual）アンプにおいて、
前記補正テーブルは、前記複数種類のスピーカの各々に対応した、前記各周波数帯毎の補正値の組を格納し、
前記各周波数帯毎の補正値の組は、これらの補正値の組に対応したスピーカの前方、かつ近傍の位置における、該スピーカからの出力音声の各周波数帯毎のレベルを、フラットに補正するための補正値の組であることを特徴とするＡＶアンプ。
【請求項２】
前記補正テーブルは、前記複数種類のスピーカの各々に対応した識別情報をさらに格納し、これらの識別情報は、前記各周波数帯毎の補正値の組と関連付けされており、
前記ＡＶアンプの工場出荷後のユーザ使用時に、該ＡＶアンプに実際に接続されているスピーカの識別情報をユーザが入力するためのスピーカ識別情報入力手段をさらに備え、
前記音声信号補正手段が、前記スピーカ識別情報入力手段を用いてユーザにより入力された識別情報に関連付けされた前記各周波数帯毎の補正値の組に基づいて、入力された音声信号のレベルを補正するように制御する補正制御手段をさらに備えたことを特徴とする請求項１に記載のＡＶアンプ。
【請求項３】
前記音声信号増幅手段に同一レベルの音声信号を周波数をスイープさせながら出力する周波数スイープ手段と、
前記複数種類のスピーカのうち、その時点で前記ＡＶアンプに実際に接続されているスピーカの前方、かつ近傍の位置に配されたマイクロフォンからの入力信号を入力するための入力手段と、
前記接続されているスピーカに対応した前記各周波数帯毎の補正値の組を算出する補正値算出手段とをさらに備え、
前記補正値算出手段は、前記周波数スイープ手段を用いて同一レベルの音声信号を周波数スイープさせながら前記音声信号増幅手段に出力することにより、前記接続されているスピーカから音声を周波数スイープさせながら出力し、出力された音声に対応する入力信号を、前記入力手段により前記マイクロフォンから入力し、前記マイクロフォンから入力された入力信号の各周波数帯毎のレベルに基づいて、前記接続されているスピーカに対応した前記各周波数帯毎の補正値の組を算出し、
前記補正テーブルは、前記補正値算出手段により算出された前記各周波数帯毎の補正値の組を格納することを特徴とする請求項１又は請求項２に記載のＡＶアンプ。
【発明の詳細な説明】
【技術分野】
【０００１】
本発明は、ユーザの好みに応じて各種のスピーカと接続することが可能なＡＶ（Audio Visual）アンプに関する。
【背景技術】
【０００２】
従来から、ホームシアター用のアンプとして、ＡＶアンプが知られている。このＡＶアンプは、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）の再生に必要な、音声デコーダ、Ｄ／Ａコンバータ、アンプ、ＡＶセレクタ等の機能を有する装置であり、ＡＶセレクタの機能を有しているために、複数の映像再生機器（例えば、ＢＤプレーヤとハードディスクレコーダ）を接続して、映像信号の入力元となる機器を切り替えることが可能である。
【０００３】
上記のＡＶアンプには、いわゆるＨＴｉＢ（Ｈｏｍｅ  Ｔｈｅａｔｅｒ  ｉｎ  Ｂｏｘ）に用いられるＡＶアンプのように、特定の種類のスピーカのみが接続される（ＡＶアンプとスピーカとがセットになった）タイプのものと、ユーザの好みに応じて（各メーカが製造した）各種の（複数種類の）スピーカと接続することが可能なタイプのものとがある。
【０００４】
上記従来のＡＶアンプを用いた音響システムでは、あくまでユーザが特定の聴取位置で音を聞いている場合に快適な音を聴くことができるようにするために、上記の特定の聴取位置と各スピーカとの距離に応じて、各スピーカへ入力される音声信号の遅延量の調整や、各スピーカへ入力される音声信号の増幅率（ゲイン）の調整を行っている（例えば、特許文献１及び２参照）。このため、従来のＡＶアンプでは、各スピーカからの出力音声の各周波数帯毎のレベル（各スピーカからの出力音声の周波数特性）を、フラットに補正して、自然な再生音を得ようとした場合にも、上記の特定の聴取位置における音声の周波数特性がフラットになるように、各スピーカへ入力される音声信号の各周波数帯毎のレベル補正を行っている。従って、ユーザの聴取位置が上記の特定の（理想的な）聴取位置から少しでもずれると、反射音の影響により、ユーザがスピーカから自然な再生音を聴くことができないという問題があった。
【先行技術文献】
【特許文献】
【０００５】
【特許文献１】特開２００７−４３２９５号公報
【特許文献２】特開２０００−３５４３００号公報
【発明の概要】
【発明が解決しようとする課題】
【０００６】
本発明は、上記課題を解決するものであり、ユーザの好みに応じて複数種類のスピーカと接続することが可能なＡＶアンプにおいて、ユーザの聴取位置が特定の（理想的な）聴取位置からずれた場合でも、ユーザがスピーカから自然な再生音を聴くことが可能なＡＶアンプを提供することを目的とする。
【課題を解決するための手段】
【０００７】
上記課題を解決するために、請求項１の発明は、入力される音声信号の各周波数帯毎の補正値の組を格納した補正テーブルを記憶する補正テーブル記憶手段と、前記補正テーブルに格納された各周波数帯毎の補正値の組に基づいて、入力された音声信号のレベルを補正する音声信号補正手段と、前記音声信号補正手段によりレベル補正された音声信号を増幅する音声信号増幅手段とを備え、ユーザの好みに応じて複数種類のスピーカと接続することが可能で、これらのスピーカのうち実際に接続されているスピーカに、前記音声信号増幅手段により増幅された音声信号を出力するＡＶ（Audio Visual）アンプにおいて、前記補正テーブルは、前記複数種類のスピーカの各々に対応した、前記各周波数帯毎の補正値の組を格納し、前記各周波数帯毎の補正値の組は、これらの補正値の組に対応したスピーカの前方、かつ近傍の位置における、該スピーカからの出力音声の各周波数帯毎のレベルを、フラットに補正するための補正値の組であるものである。
【０００８】
請求項２の発明は、請求項１に記載のＡＶアンプにおいて、前記補正テーブルは、前記複数種類のスピーカの各々に対応した識別情報をさらに格納し、これらの識別情報は、前記各周波数帯毎の補正値の組と関連付けされており、前記ＡＶアンプの工場出荷後のユーザ使用時に、該ＡＶアンプに実際に接続されているスピーカの識別情報をユーザが入力するためのスピーカ識別情報入力手段をさらに備え、前記音声信号補正手段が、前記スピーカ識別情報入力手段を用いてユーザにより入力された識別情報に関連付けされた前記各周波数帯毎の補正値の組に基づいて、入力された音声信号のレベルを補正するように制御する補正制御手段をさらに備えたものである。
【０００９】
請求項３の発明は、請求項１又は請求項２に記載のＡＶアンプにおいて、前記音声信号増幅手段に同一レベルの音声信号を周波数をスイープさせながら出力する周波数スイープ手段と、前記複数種類のスピーカのうち、その時点で前記ＡＶアンプに実際に接続されているスピーカの前方、かつ近傍の位置に配されたマイクロフォンからの入力信号を入力するための入力手段と、前記接続されているスピーカに対応した前記各周波数帯毎の補正値の組を算出する補正値算出手段とをさらに備え、前記補正値算出手段は、前記周波数スイープ手段を用いて同一レベルの音声信号を周波数スイープさせながら前記音声信号増幅手段に出力することにより、前記接続されているスピーカから音声を周波数スイープさせながら出力し、出力された音声に対応する入力信号を、前記入力手段により前記マイクロフォンから入力し、前記マイクロフォンから入力された入力信号の各周波数帯毎のレベルに基づいて、前記接続されているスピーカに対応した前記各周波数帯毎の補正値の組を算出し、前記補正テーブルは、前記補正値算出手段により算出された前記各周波数帯毎の補正値の組を格納するものである。
【発明の効果】
【００１０】
請求項１の発明によれば、接続可能な複数種類のスピーカのうち、いずれのスピーカが接続された場合でも、このスピーカに対応した各周波数帯毎の補正値の組に基づいて、スピーカの前方、かつ近傍の位置における、スピーカからの出力音声の各周波数帯毎のレベル（スピーカからの出力音声の周波数特性）を、フラットに補正することができるので、スピーカから出力された直後の音声の各周波数帯毎のレベル（スピーカから出力された直後の音声の周波数特性）をフラットに補正して、自然な再生音を得ることができる。これにより、ユーザの聴取位置が特定の（理想的な）聴取位置からずれた場合でも、ユーザが自然な再生音を聴くことができるので、ユーザが疲れないようにすることができる。
【００１１】
また、請求項２の発明によれば、ＡＶアンプの工場出荷後のユーザ使用時（例えば初期設定時）に、ＡＶアンプに実際に接続されているスピーカの識別情報をユーザが入力することにより、実際に接続されているスピーカに対応した各周波数帯毎の補正値の組に基づいて、入力された音声信号のレベルを補正することができる。
【００１２】
また、請求項３の発明によれば、接続されているスピーカから音声を周波数スイープさせながら出力し、このスピーカの前方、かつ近傍の位置に配されたマイクロフォンから入力された入力信号の各周波数帯毎のレベルに基づいて、上記スピーカに対応した各周波数帯毎の補正値の組を算出するようにしたことにより、上記に記載の効果を的確に得ることができる。また、このＡＶアンプに実際に接続されているスピーカから出力された音声を用いて、補正テーブルに格納される各周波数帯毎の補正値の組を算出するようにしたので、このＡＶアンプに実際に使用されているスピーカや音声信号増幅手段（例えばアンプ）に個体差がある場合でも、スピーカから出力された直後の音声の各周波数帯毎のレベルをフラットに補正して、自然な再生音を得ることができる。さらにまた、本ＡＶアンプ自体を用いて補正テーブルに格納される各周波数帯毎の補正値の組を得ることができるので、補正テーブルに格納される補正値の組を得るのに、特別な測定機器が不要になる。
【図面の簡単な説明】
【００１３】
【図１】本発明の一実施形態に係るＡＶアンプのブロック構成図。
【図２】同ＡＶアンプにおける補正テーブル作成処理のフローチャート。
【図３】図１中の補正テーブルに格納されるデータの例を示す図。
【図４】上記ＡＶアンプにおける使用スピーカ初期設定処理のフローチャート。
【図５】上記ＡＶアンプにおけるフラットモード時の再生処理のフローチャート。
【発明を実施するための形態】
【００１４】
以下、本発明の一実施形態について、図面を参照して説明する。図１は、本実施形態によるＡＶアンプ１と、このＡＶアンプ１に接続されるスピーカ５（６本のスピーカ５ａ〜５ｆの総称）と、ＡＶアンプ１に接続される入出力機器とを示す。ＡＶアンプ１には、映像・音声入力機器である、ＢＤ（Ｂｌｕ−ｒａｙ  Ｄｉｓｃ）／ＤＶＤ（Ｄｉｇｉｔａｌ  Ｖｅｒｓａｔｉｌｅ  Ｄｉｓｃ）プレーヤ２、及びディジタルテレビジョン（ディジタルＴＶ）チューナ３と、映像出力機器である液晶テレビジョン受像機（以下、液晶テレビと略す）４とが接続されている。
【００１５】
ＡＶアンプ１は、ＡＶアンプ１全体の制御を行うＣＰＵ１０（補正値算出手段、補正制御手段）と、接続されている入力機器からの映像・音声信号のセレクタであるＡＶセレクタ１１と、入力された音声信号に対して音場処理又は周波数特性補正処理を施すＤＳＰ（Ｄｉｇｉｔａｌ  Ｓｉｇｎａｌ  Ｐｒｏｃｅｓｓｏｒ）１２（音声信号補正手段）と、ＤＳＰ１２から出力された音声信号を増幅するアンプ１３（音声信号増幅手段）と、メモリ１４（補正テーブル記憶手段）と、各種のメッセージ表示等に用いられる表示部１５とを有している。上記のＣＰＵ１０とＤＳＰ１２とが請求項における周波数スイープ手段に相当する。ＡＶアンプ１は、例えば、ＢＤ／ＤＶＤプレーヤ２からの映像・音声信号を入力信号として選択しているときには、ＢＤ／ＤＶＤプレーヤ２からの映像信号を、ＤＳＰ１２を介して、液晶テレビ４へ出力すると共に、ＢＤ／ＤＶＤプレーヤ２からの音声信号を、ＤＳＰ１２とアンプ１３とを介して、スピーカ５に出力する。スピーカ５は、アンプ１３により増幅された音声信号を音声に変換して出力する。
【００１６】
また、ＡＶアンプ１は、マイクロフォン２６からの入力信号を入力するための入力端子１６（入力手段）と、マイクロフォン２６から入力されたアナログ形式の入力信号をディジタル形式の入力信号に変換するためのＡ／Ｄコンバータ１７と、リモコン２１からのリモコン信号を受信するためのリモコン信号受信装置１８と、インターネット６に接続するためのネットワークインタフェース部１９とを有している。また、ＡＶアンプ１は、本体とは別体のリモコン２１を有しており、このリモコン２１は、ユーザによるＡＶアンプ１の操作に用いられる。ユーザは、リモコン２１（スピーカ識別情報入力手段）を用いて、ＡＶアンプ１に実際に接続されているスピーカのナンバー（請求項における識別情報）を入力することができる。
【００１７】
上記のＡＶアンプ１は、ＢＤ／ＤＶＤプレーヤ２とディジタルＴＶチューナ３とのいずれかからの５．１チャンネルの入力信号をＡＶセレクタ１１により選択して、入力された音声信号を、ＤＳＰ１２とアンプ１３とを介して、６本のスピーカ５ａ〜５ｆに分配、増幅して送る。６本のスピーカ５ａ〜５ｆは、センタースピーカ、フロントＲ（Ｒｉｇｈｔ）スピーカ、フロントＬ（Ｌｅｆｔ）スピーカ、リアＲ（Ｒｉｇｈｔ）スピーカ、リアＬ（Ｌｅｆｔ）スピーカ、及び低音域再生専用スピーカであるサブウーファーから構成される。すなわち、これらのスピーカ５ａ〜５ｆは、いわゆる５．１チャンネルサラウンドスピーカシステムを構成する。
【００１８】
上記のＡＶアンプ１には、各種のモードがある。例えばフラットモードの時には、ＤＳＰ１２は、各スピーカ５の前方、かつ近傍の位置における、各スピーカ５からの出力音声の各周波数帯毎のレベルをフラットに補正する処理を行う。メモリ１４には、この補正処理に用いられる補正テーブル１４ａが記憶されている。この補正テーブル１４ａは、各製造メーカが製造した各種のスピーカに対応した（音声信号の）各周波数帯毎の補正値の組を格納したテーブルである。これらの補正値の組は、上記の各種のスピーカの前方、かつ近傍の位置における出力音声の各周波数帯毎のレベルを、フラットに補正するための補正値の組である。例えば、スピーカ５ａについての補正値の組は、スピーカ５ａの前方、かつ近傍の位置におけるスピーカ５ａからの出力音声の各周波数帯毎のレベルを、フラットに補正するための補正値の組である。補正テーブル１４ａは、上記の各種のスピーカからの出力音声の各周波数帯毎のレベルを、フラットに補正するための補正値の組を全て格納している。なお、ＡＶアンプ１のモードには、上記のフラットモード以外に、クラシック音楽に適した補正処理が行われるクラシックモードや、ジャズに適した補正処理が行われるジャズモードがある。これらのモードは、フラットモードをベースに各音楽に適する補正処理が行われる。
【００１９】
また、メモリ１４には、上記の補正テーブル１４ａの作成用のプログラムである補正テーブル作成プログラム１４ｂと、上記のフラットモードを含む各種モードに対応した再生処理を行うためのプログラムである再生処理プログラム１４ｃ等の、各種のプログラムやデータが記憶されている。
【００２０】
次に、上記の補正テーブル作成プログラム１４ｂにより行われる補正テーブル１４ａの作成処理について、図２のフローチャートを参照して説明する。この補正テーブル１４ａの作成処理は、ＡＶアンプ１の工場出荷前の調整時に行われる。工場出荷前の調整時に、オペレータが、（補正テーブル１４ａに格納する）補正値の組の作成対象となる複数種類のスピーカのうちの１つの種類のスピーカ（以下、「補正値作成対象スピーカ」という）をＡＶアンプ１に接続した上で、このスピーカ（の型番）に対応したナンバー（請求項における識別情報）を入力すると（Ｓ１でＹＥＳ）、ＡＶアンプ１のＣＰＵ１０は、ＢＤ／ＤＶＤプレーヤ２又はディジタルＴＶチューナ３のいずれかからＤＳＰ１２に入力された音声信号を、ＤＳＰ１２により周波数スイープさせながら同一レベルの音声信号をアンプ１３に出力することにより、補正値作成対象スピーカから音声を周波数スイープさせながら再生出力する（Ｓ２）。
【００２１】
そして、上記Ｓ２で出力された音声に対応する入力信号を、（実際に音を出力した）補正値作成対象スピーカの直近（補正値作成対象スピーカの前方、かつ近傍）の位置に配されたマイクロフォン２６から、入力端子１６とＡ／Ｄコンバータ１７とを介して入力する。すなわち、上記補正値作成対象スピーカの直近（前方、かつ近傍）の再生音をマイクロフォン２６に入力する（Ｓ３）。そして、ＣＰＵ１０は、マイクロフォン２６に入力された、上記補正値作成対象スピーカからの再生音の各周波数毎のレベル（すなわち、マイクロフォン２６から入力された入力信号の各周波数帯毎のレベル）をメモリ１４に一時的に記憶する（Ｓ４）。
【００２２】
上記Ｓ１において周波数スイープする時における周波数帯の分割数は、例えば１２８や２５６であり、分割された周波数帯の範囲は、例えば、可聴帯域である２０Ｈｚ〜２０ｋＨｚを２５６分割（又は１２８分割）した周波数帯である。
【００２３】
上記のＣＰＵ１０とＤＳＰ１２は、入力信号の各周波数帯毎のレベル（周波数特性）を補正する機能であるイコライザ機能を有している。ＣＰＵ１０は、ＤＳＰ１２と連動して、上記のイコライザ機能により、上記のＳ４でメモリ１４に記憶した再生音の各周波数毎のレベル（周波数特性（曲線））のピーク、ディップ（をなくすように）補正することで、上記Ｓ４でメモリ１４に一次記憶した再生音の各周波数毎のレベル（周波数特性）をフラット化させる（Ｓ５）。そして、ＣＰＵ１０は、補正値作成対象スピーカに対応した（Ｓ１で入力された）ナンバーと、その補正値作成対象スピーカに対応した各周波数帯毎の補正値の組とを、補正テーブル１４ａに格納する（Ｓ６）。
【００２４】
上記の補正テーブル１４ａに格納する補正値としては、上記の周波数特性（曲線）におけるフラットな値とピークやディップの値との差が、用いられる。具体的には、ピークの部分に対する補正値は、フラットな値からピークの値を引いた負の値となり、ディップの部分に対する補正値は、フラットな値からディップの値を引いた正の値となる。すなわち、ＣＰＵ１０は、メモリ１４に一時記憶された、補正値作成対象スピーカからの出力音声の各周波数帯毎のレベル（周波数特性）に基づいて、補正値作成対象スピーカについての（周波数特性の）各周波数帯毎の補正値の組を算出して、算出した補正値の組をメモリ１４の補正テーブル１４ａに格納する。
【００２５】
（補正テーブル１４ａに格納する）補正値の組の作成対象となる全ての種類のスピーカについて、上記Ｓ１乃至Ｓ６の処理を繰り返すことにより、補正値作成対象となる全ての種類のスピーカについての各周波数帯毎の補正値の組が、補正テーブル１４ａに格納される。なお、ＡＶアンプ１の工場出荷後に、新しい種類（新しい型番（モデル））のスピーカが販売された場合には、この新しいスピーカに対応した各周波数帯毎の補正値の組を、上記の補正テーブル１４ａに追加で格納することが可能である。この場合、ＡＶアンプ１のＣＰＵ１０は、新しいスピーカに対応した各周波数帯毎の補正値の組を、ネットワークインタフェース部１９を介してインターネット６上のＡＶアンプ１（又は新しいスピーカ）の製造メーカ等のサーバからダウンロードするか、上記製造メーカにより配布されたＣＤ−ＲＯＭ等の記憶媒体から読み取ることにより、取得する。
【００２６】
図３は、上記図２に示される処理により作成された補正テーブル１４ａを示す。この補正テーブル１４ａは、上記Ｓ１で入力された各スピーカ（の型番）に対応したナンバー３２と、各補正値作成対象スピーカについての各周波数帯毎の補正値の組３１とから構成されている。各スピーカに対応したナンバー３２は、各（補正値作成対象）スピーカについての各周波数帯毎の補正値の組３１と関連付けされている。また、各周波数帯毎の補正値の組３１を構成する各補正値は、例えば図３に示されるように、符号付の係数でセットされる。例えば、ナンバー３１のスピーカに対応する第１周波数帯の補正値は、−０．１０であり、音声信号ＢＤ／ＤＶＤプレーヤ２等から入力された音声信号の振幅をＡＭＰとすると、この音声信号の振幅ＡＭＰを、｛ＡＭＰ＋ＡＭＰ×（−０．１０）｝に補正するための係数である。ただし、補正値の組３１を構成する各補正値は、必ずしも上記のような係数に限られない。また、補正値の組３１は、例えば、上記の２０Ｈｚ〜２０ｋＨｚを２５６分割（又は１２８分割）した各周波数帯毎の補正値の集まりである。
【００２７】
次に、工場出荷後に行われるＡＶアンプ１の使用スピーカの初期設定処理について、図４のフローチャートを参照して説明する。ユーザが、ＡＶアンプ１の工場出荷後の初期設定時に、各製造メーカが製造した各種のスピーカの型番と、上記図３の補正テーブル１４ａのナンバー３２との対応関係を示す（紙等に印刷された）対応表を参照して、使用する（ＡＶアンプ１に実際に接続する）各スピーカ（の型番）に対応したナンバーをリモコン２１により入力すると（Ｓ１１でＹＥＳ）、ＡＶアンプ１のＣＰＵ１０は、入力されたナンバーをメモリ１４に記憶する（Ｓ１２）。ユーザが、ＡＶアンプ１に実際に接続されている全てのスピーカ５ａ〜５ｆについてのナンバーを入力するまで（Ｓ１３でＮＯ）、上記Ｓ１１のナンバー入力処理を繰り返すことにより、接続されている全てのスピーカ５ａ〜５ｆについてのナンバーが、メモリ１４に記憶される。
【００２８】
次に、工場出荷後のフラットモードのときに再生処理プログラム１４ｃによって実行される再生処理（フラットモード時再生処理）について、図５のフローチャートを参照して説明する。ユーザがリモコン２１を用いてフラットモード時の再生処理を実行するように指示すると、ＡＶアンプ１のＣＰＵ１０は、上記図４に示される使用スピーカ初期設定処理でユーザにより入力された、接続されている全てのスピーカ５ａ〜５ｆについてのナンバーをメモリ１４から読み出すと共に、この全てのスピーカ５ａ〜５ｆについてのナンバーに対応した（６つの）補正値の組を、メモリ１４の補正テーブル１４ａから読み込んでＤＳＰ１２に転送する（Ｓ２１）。ＤＳＰ１２は、転送された各スピーカ５ａ〜５ｆについての各周波数帯毎の補正値の組に基づいて、ＢＤ／ＤＶＤプレーヤ２又はディジタルＴＶチューナ３から入力された各チャンネルの音声信号のレベルを補正する（Ｓ２２）。そして、この補正後の各チャンネルの音声信号をアンプ１３に送ることによって、補正後の各チャンネルの音声信号をアンプ１３で増幅して、増幅後の各チャンネルの音声信号を各スピーカ５ａ〜５ｆから音声として出力する（Ｓ２３）。
【００２９】
上記のように、本実施形態のＡＶアンプ１によれば、接続可能な複数種類のスピーカのうち、いずれのスピーカ５が接続された場合でも、このスピーカ５に対応した各周波数帯毎の補正値の組に基づいて、スピーカ５の前方、かつ近傍の位置における、スピーカ５からの出力音声の各周波数帯毎のレベル（スピーカ５からの出力音声の周波数特性）を、フラットに補正することができるので、スピーカ５から出力された直後の音声の各周波数帯毎のレベル（スピーカ５から出力された直後の音声の周波数特性）をフラットに補正して、自然な再生音を得ることができる。これにより、ユーザの聴取位置が特定の（理想的な）聴取位置からずれた場合でも、ユーザが自然な再生音を聴くことができるので、ユーザが疲れないようにすることができる。
【００３０】
また、本ＡＶアンプ１によれば、ＡＶアンプ１の工場出荷後のユーザ使用時に、ＡＶアンプ１に実際に接続されているスピーカ５の識別情報をユーザが入力することにより、実際に接続されているスピーカ５に対応した各周波数帯毎の補正値の組に基づいて、入力された音声信号のレベルを補正することができる。
【００３１】
さらにまた、本ＡＶアンプ１によれば、本ＡＶアンプに実際に接続されているスピーカから出力された音声を用いて、補正テーブルに格納される各周波数帯毎の補正値の組を算出するようにしたので、本ＡＶアンプに実際に使用されているスピーカや音声信号増幅手段（例えばアンプ）に個体差がある場合でも、スピーカから出力された直後の音声の各周波数帯毎のレベルをフラットに補正して、自然な再生音を得ることができる。さらにまた、本ＡＶアンプ自体を用いて補正テーブルに格納される各周波数帯毎の補正値の組を得ることができるので、補正テーブルに格納される補正値の組を得るのに、特別な測定機器が不要になる。
【００３２】
なお、本発明は、上記実施形態の構成に限られず、発明の趣旨を変更しない範囲で種々の変形が可能である。例えば、上記実施形態では、各スピーカ５ａ〜５ｆの直近（前方、かつ近傍）の位置に配されたマイクロフォン２６をＡＶアンプ１に接続して、ＡＶアンプ１に実際に接続されているスピーカ５から出力された音声を用いて、補正テーブル１４ａに格納される各周波数帯毎の補正値の組を算出するようにしたが、補正テーブルに格納する補正値として、同モデルの（同じ型番の）スピーカから出力された音声を用いて算出した各周波数帯毎の補正値のモデルデータを使用してもよい。また、上記実施形態では、同一レベルの音声信号を周波数スイープさせながらアンプに出力して、各スピーカについての各周波数帯毎の補正値の組を求めたが、ホワイトノイズを利用して、各スピーカについての各周波数帯毎の補正値の組を求めてもよい。
【符号の説明】
【００３３】
１    ＡＶアンプ
５、５ａ〜５ｆ（スピーカ）
６    入力端子（入力手段）
１０  ＣＰＵ（周波数スイープ手段、補正値算出手段、補正制御手段）
１２  ＤＳＰ（音声信号補正手段、周波数スイープ手段）
１３  アンプ（音声信号増幅手段）
１４  メモリ（補正テーブル記憶手段）
１４ａ  補正テーブル
２１  リモコン（スピーカ識別情報入力手段）
２６  マイクロフォン
３１  各周波数帯毎の補正値の組
３２  ナンバー（識別情報）
【図１】
2012090164.tif 000003
【図２】
2012090164.tif 000004
【図３】
2012090164.tif 000005
【図４】
2012090164.tif 000006
【図５】
2012090164.tif 000007